(57)【要約】【課題】  複数の撹拌羽根を植設した主軸に堆積した精白麦粒などの穀粒を容易に除去することができる穀粒加水装置を提供する。【解決手段】  前記円筒機枠(3)は、その側壁(3a)に前記主軸(25)を挿通させる開口(42a)を穿設するとともに、前記主軸(25)の両端にすべり軸受(43a)を嵌装する一方、該すべり軸受(43a)には、前記主軸(25)よりも大径の鍔部(43c)を形成するとともに、該鍔部(43c)を一対の支持部材(44a,44b)により挟持して摺動可能に形成し、該一対の支持部材(44a,44b)を前記側壁(3a)に固定して前記円筒機枠(3)全体が振動するように支持し、さらに、前記すべり軸受（43a）には、前記主軸(25)に付着した穀粒を除去する噴風ノズル(38)を設けた。【選択図】  図２
2005238037.tif 000002
【特許請求の範囲】
【請求項１】
穀粒に水分を添加する水分添加部(2)と、水分が添加された穀粒を振動・撹拌・搬送する搬送部とからなり、該搬送部は、穀粒を供給する供給口(14)と穀粒を排出する排出口(15,16)とを備えた円筒機枠（3）と、複数の撹拌羽根(26)を植設した主軸(25)を前記円筒機枠(3)内に回転可能に支持した撹拌装置(4)と、前記円筒機枠(3)に固設した振動発生装置(34,35)とを備えた穀粒加水装置(1)において、
前記円筒機枠(3)は、その両側壁(3a,3b)に前記主軸(25)を挿通させる開口(42a,42b) を穿設するとともに、前記主軸(25)の両端部に該主軸(25)を遊嵌させるすべり軸受(43a,43b)を嵌装する一方、該すべり軸受(43a,43b)に鍔部(43c,43c)を形成し、該鍔部(43c,43c)を一対の支持部材(44a,44b)によりそれぞれ挟持して摺動可能に形成するとともに、該一対の支持部材(44a,44b)を前記両側壁(3a,3b)に各々固定して前記円筒機枠(3)全体が振動するように支持し、さらに、前記各すべり軸受（43a,43b）には、前記主軸(25)に付着した穀粒を除去するための噴風ノズル(38,39)をそれぞれ設けたことを特徴とする穀粒加水装置。
【請求項２】
前記主軸(25)の両端部には、前記噴風ノズル(38,39)を覆うための円錐台形状のノズルカバー
(50a,50b)をそれぞれ設けるとともに、該各ノズルカバー(50a,50b)の円錐台上面(55a,55b)を前記主軸(25)に軸着して回転可能に形成し、該円錐台上面(55a,55b)には、前記噴風ノズル(38,39)と連通する円弧状のスリット孔(51…)を複数個穿設し、前記各ノズルカバー(50a,50b)の円錐台傾斜面（57a,57b）下端部には、該ノズルカバー(50a,50b)内に流入した穀粒を円筒機枠(3)へ排出させる排出孔(53a,53b)をそれぞれ設けてなる請求項１記載の穀粒加水装置。
【請求項３】
前記各ノズルカバー(50a,50b)は、円錐台上面(55a,55b)が前記噴風ノズル(38,39)の先端に近接するように設けてなる請求項２記載の穀粒加水装置。
【発明の詳細な説明】
【技術分野】
【０００１】
本発明は、穀粒を加水する加水部と、加水された穀粒を振動させるとともに撹拌羽根によって撹拌・搬送する搬送部とからなる穀粒加水装置に関する。
【背景技術】
【０００２】
洗麦後、穀粒を調質する装置としては、本出願人が提案した特許文献１のものがある。この請求項２記載の装置によれば、水を供給して精白麦粒を洗浄する洗浄部と、洗浄された精白麦を搬送する搬送部からなる洗麦装置において、前記搬送部が、一端に供給口を、他端に排出口を設けた円筒形の機枠と、該機枠を振動可能に支承する複数のジョイントと、複数の撹拌羽根を植設した主軸からなる、前記機枠内に回転自在に横設した撹拌装置と、前記機枠に固設した振動発生装置とを備えたものが開示されている。
【０００３】
上記洗麦装置の洗浄部において洗浄された精白麦粒は、搬送部に供給され、撹拌羽根による撹拌作用を受けることで精白麦どうしが固着するのを防止するとともに、振動装置による振動作用を受けることで供給口側から排出口側へ精白麦粒の搬送を促進し、この間に、精白麦粒表面に付着した水が精白麦粒内部に浸透することになる。
【０００４】
しかしながら、上記洗麦装置においては、複数の撹拌羽根を植設した主軸が円筒機枠とは断絶され、主軸が振動しない状態で低速で回転しているので、水分が付着した精白麦粒が主軸に付着しやすく、堆積して固着することもあり、衛生上好ましいものではなかった。
【０００５】
【特許文献１】特許第３３８５８４７号公報
【発明の開示】
【発明が解決しようとする課題】
【０００６】
本発明は上記問題点にかんがみ、複数の撹拌羽根を植設した主軸に堆積した精白麦粒などの穀粒を容易に除去することができる穀粒加水装置を提供することを目的とする。
【課題を解決するための手段】
【０００７】
上記課題を解決するため請求項１の発明は、穀粒に水分を添加する水分添加部(2)と、水分が添加された穀粒を振動・撹拌・搬送する搬送部とからなり、該搬送部は、穀粒を供給する供給口(14)と穀粒を排出する排出口(15,16)とを備えた円筒機枠（3）と、複数の撹拌羽根(26)を植設した主軸(25)を前記円筒機枠(3)内に回転可能に支持した撹拌装置(4)と、前記円筒機枠(3)に固設した振動発生装置(34,35)とを備えた穀粒加水装置(1)において、前記円筒機枠(3)は、その両側壁(3a,3b)に前記主軸(25)を挿通させる開口(42a,42b)
を穿設するとともに、前記主軸(25)の両端部に該主軸(25)を遊嵌させるすべり軸受(43a,43b)を嵌装する一方、該すべり軸受(43a,43b)に鍔部(43c,43c)を形成し、該鍔部(43c,43c)を一対の支持部材(44a,44b)によりそれぞれ挟持して摺動可能に形成するとともに、該一対の支持部材(44a,44b)を前記両側壁(3a,3b)に各々固定して前記円筒機枠(3)全体が振動するように支持し、さらに、前記各すべり軸受（43a,43b）には、前記主軸(25)に付着した穀粒を除去するための噴風ノズル(38,39)をそれぞれ設ける、という技術的手段を講じた。
【０００８】
また、前記主軸(25)の両端部には、前記噴風ノズル(38,39)を覆うための円錐台形状のノズルカバー
(50a,50b)をそれぞれ設けるとともに、該各ノズルカバー(50a,50b)の円錐台上面(55a,55b)を前記主軸(25)に軸着して回転可能に形成し、該円錐台上面(55a,55b)には、前記噴風ノズル(38,39)と連通する円弧状のスリット孔(51…)を複数個穿設し、前記各ノズルカバー(50a,50b)の円錐台傾斜面（57a,57b）下端部には、該ノズルカバー(50a,50b)内に流入した穀粒を円筒機枠(3)へ排出させる排出孔(53a,53b)をそれぞれ設けるとよい。
【０００９】
そして、前記各ノズルカバー(50a,50b)は、円錐台上面(55a,55b)が前記噴風ノズル(38,39)の先端に近接するように設けるとよい。
【発明の効果】
【００１０】
本発明によれば、円筒機枠(3)に固設した振動発生装置(34,35)を駆動すると、円筒機枠(3)の両側壁(3a,3b)に固定された支持部材(44a,44b)が、すべり軸受(43a,43b)の鍔部(43c,43c)に沿って上下に摺動するため、円筒機枠(3)は振動するが、撹拌装置(4)の主軸(25)には振動が伝達されない構成になる。そして、すべり軸受(43a,43b)に噴風ノズル(38,39)がそれぞれ設けられているので、噴風ノズル(38,39)が主軸(25)の回転を受けることがなく、エアーホースなどの配管が簡単になる。また、主軸(25)を回転させながら主軸(25)上に堆積した加水後の濡れた精白麦粒などの穀粒を吹き飛ばすので、主軸(25)の全周面にわたって残留物を容易に除去することができる。
【００１１】
また、前記主軸(25)の両端部には、前記噴風ノズル(38,39)を覆うための円錐台形状のノズルカバー
(50a,50b)をそれぞれ設けると、運転中に噴風ノズル(38,39)内への穀粒の流入を防止することができる。そして、各ノズルカバー(50a,50b)の円錐台上面(55a,55b)を前記主軸(25)に軸着して回転可能に形成し、前記円錐台上面(55a,55b)には、前記噴風ノズル(38,39)と連通する円弧状のスリット孔(51…)を複数個穿設し、前記各ノズルカバー(50a,50b)の円錐台傾斜面（57a,57b）下端部には、該ノズルカバー(50a,50b)内に流入した穀粒を円筒機枠(3)に排出させる排出孔(53a,53b)をそれぞれ設けてあるから、噴風ノズル(38,39)から噴出される高圧空気は、スリット孔(51…)を介して主軸(25)に供給することができる。さらに、各ノズルカバー(50ａ,50b)内に穀粒が流入したとしても、排出孔(53a，53b)から円筒機枠(3)内へ容易に排出することができる。
【００１２】
さらに、前記ノズルカバー(50a,50b)は、円錐台上面(55a,55b)が前記噴風ノズル(38,39)の先端に近接するように設けると、ノズルカバー(50a,50b)の回転によって噴風ノズル(38,39)に挟まった穀粒を円錐台上面(55a,55b)に設けた掻出部(54…)によって容易に掻き出すことができる。
【発明を実施するための最良の形態】
【００１３】
以下、本発明を実施するための最良の形態について、図面を参照しながら説明する。図１は本発明の穀粒加水装置の内部構造を示す縦断面図である。
【００１４】
符号１は、本発明実施形態の穀粒加水装置の全体を示している。該穀粒加水装置１は、水分添加部２、円筒形の機枠３及び撹拌装置４から構成されている。水分添加部２は、詰まり検知センサ５及び流れ検知センサ６を備えた原料供給ホッパ７と、注水ノズル８を備えた円筒状の加水部９とから構成され、前記注水ノズル８には、水槽（図示せず）に連絡した注水管１０が連結され、前記原料供給ホッパ７には、該ホッパ内の塵埃を除去するため吸引ダクト１１が配管されている。
【００１５】
前記機枠３は回転しない円筒形状に形成され、左右両端部に立設した支持枠１２，１３及び梁３１に水平又は若干傾斜して振動可能に横設し、回転可能な撹拌装置４を機枠３内部に設けた構成になっている。そして、機枠３の一端には前記水分添加部２からの穀粒を受ける供給口１４を設け、他端には加水済みの穀粒の排出口１５，１６が設けられている。該排出口１５，１６は機枠３の上下二カ所に設けた構成であり、上部の排出口１６には端部が開口された排出管１７を接続し、下部の排出口１５には、端部を閉鎖板１９で押圧することが可能な排出管１８を接続する。符号２０は閉鎖板１９の押圧力を調節するノブボルトである。排出管１７，１８にはさらに排出樋２１が接続されている。これにより、排出管１８が閉鎖されて機枠３内に加水済みの穀粒が充満し、上部の排出口１６からオーバーフローした穀粒が排出管１７を介して排出樋２１の排出口２２から機外に取り出されることになる。
【００１６】
前記撹拌装置４は、両端部を支持枠１２，１３の軸受２３，２４に支持した主軸２５と、該主軸２５に植設した複数の撹拌羽根２６とから構成される。主軸２５の一端にはプーリ２７を軸着し、該プーリ２７と支持枠１３に取り付けたモータ２８のプーリ２９とをＶベルト３０で連結することにより、主軸２５は適宜な速度で回転される。また、機枠３の下方には、連結部材３２，３３を介して振動発生装置としてのいわゆる振動モータ３４,３５が設けられ、撹拌装置４以外の機枠３全体が振動されることになる。符号３６は機枠３内の塵埃を除去するため吸引口４０に接続した吸引ダクトであり、該吸引ダクト３６は吸引ダクト１１と集合させ、該集合ダクト４１により吸引機３７に連絡される。符号３８及び符号３９は主軸２５の両端から機枠３内に向けて高圧空気を噴出する噴風ノズルであり、この噴風ノズル３８,３９の固定方法について以下詳述する。
【００１７】
図２は供給口側の機枠を一部破断した拡大断面図であり、図３は排出口側の機枠を一部破断した拡大断面図である。
【００１８】
図２及び図３に示すように機枠３の供給口１４側及び排出口１５側の両側壁３ａ，３ｂには主軸２５を挿通させる開口４２ａ,４２ｂが穿設してあり、該開口４２ａ,４２ｂに主軸２５を挿通させ、該主軸２５の両端に該主軸２５を遊嵌させるすべり軸受４３ａ，４３ｂを嵌装する。該すべり軸受４３ａ，４３ｂには、前記主軸２５よりも大径の鍔部４３ｃ,４３ｃを形成する。そして、各すべり軸受４３ａ，４３ｂの鍔部４３ｃ，４３ｃを一対の支持部材４４ａ，４４ｂにより挟持して摺動可能に形成し、該支持部材４４ａ，４４ｂ上部にスペーサ５２を介装した後、ボルト４５により両側壁３ａ，３ｂに固定する。これにより、機枠３下方に設けた振動モータ３４,３５を駆動させると、機枠３の両側壁３ａ，３ｂに固定された一対の支持部材４４ａ,４４ｂが、すべり軸受４３ａ，４３ｂの鍔部４３ｃ，４３ｃに沿って上下方向に遊動し（図４参照）、機枠３は振動するが、主軸２５には振動が伝達されない構成となる。
【００１９】
前記すべり軸受４３ａ,４３ｂには空気通路４６ａ，４６ｂが穿設され、該空気通路４６ａ，４６ｂの一端には、エアーホース４７ａ，４７ｂと連絡するエア配管用のカプラ４８ａ，４８ｂを接続し、前記空気通路４６ａ，４６ｂの他端には、機枠３内に向けて高圧空気を噴出する噴風ノズル３８,３９を接続する。この構成により、噴風ノズル３８,３９はすべり軸受４３ａ,４３ｂによって主軸２５の回転を受けることがなく、エアーホース４７ａ，４７ｂが主軸２５の回転によって絡まる虞（おそれ）がなくなり、配管が極めて簡単になる。
【００２０】
また、前記主軸２５の両端部は、円錐台形状のノズルカバー ５０ａ，５０ｂが設けられ、該ノズルカバー５０ａ，５０ｂの円錐台上面（円の小さい方）５５ａ，５５ｂを前記主軸２５に軸着する一方、円錐台底面（円の大きい方）５６ａ，５６ｂを前記両側壁３ａ，３ｂに摺接させて回転可能に形成し、前記円錐台上面５５ａ，５５ｂには、前記噴風ノズル３８，３９と連通する円弧状のスリット孔５１…を複数個穿設し、前記ノズルカバー５０ａ，５０ｂの円錐台傾斜面５７ａ，５７ｂには、該ノズルカバー５０ａ，５０ｂ内に流入した穀粒を機枠３へ排出させる排出孔５３ａ,５３ｂを設けている。
【００２１】
さらに、前記ノズルカバー５０ａ，５０ｂは、円錐台上面５５ａ，５５ｂが前記噴風ノズル３８，３９先端に近接するように設けられ、前記円錐台上面５５ａ，５５ｂ周縁に連穿されたスリット孔５１…の間隙は、前記噴風ノズル３８，３９の先端に挟まった穀粒を掻き出す掻出部５４…に形成してある。
【００２２】
上記ノズルカバー５０ａ,５０ｂの詳細な構成を図５を参照して説明する。この図に示すノズルカバー５０には、円錐台上面５５の周縁寄りに５個のスリット孔５１が円弧状に連穿してある。この連穿されたスリット孔５１…の間隙は、噴風ノズル３８,３９先端に挟まった穀粒を掻き出す掻出部５４…に形成され、噴風ノズル３８，３９の先端に穀粒が挟まった場合は、ノズルカバー５０ａ，５０ｂが回転されて穀粒が掻出部５４…により掻き出される。
【００２３】
以下、上記構成における作用を原料に麦を用いた場合について説明する。
【００２４】
精穀機、精麦機等により搗精を受けた麦粒は、精白麦粒としてシュート５８により原料供給ホッパ７に供給され、適宜シャッタを開放することにより加水部９に投入される。加水部９では注水ノズル８から水が供給され、穀粒重量に対して約２〜３％加水されて供給口１４から機枠３に供給される。
【００２５】
機枠３に供給された精白麦粒は、撹拌羽根２６による撹拌作用と、振動モータ３４，３５による振動作用を機枠３に与えながら供給口１４側から排出口１５,１６側へ搬送する。このとき、閉鎖板１９により下部の排出管１８を閉鎖すると同時に、図示しない水分添加装置により穀粒重量に対して約０〜５％の水分を添加する。すると、機枠３の容量の約７割の量の精白麦粒を滞留させ、上部の排出管１７から精白麦粒をオーバーフローさせて調質が行われる。これにより、水分添加前の精白麦粒に比較して約２〜８％水分が増加した精白麦粒を得ることができる。
【００２６】
以上のようにして穀粒への水分の添加が行われるが、作業終了後の残留物除去について説明する。ノブボルト２０を調節して閉鎖板１９を開放するとともに、振動モータ３４，３５及びモータ２８を駆動して空運転を行うと、機枠３からは、ある程度の残留物は排出されるが、撹拌装置４の主軸２５上には残留物が堆積した状態にある。そこで、図示しないエア供給源からエアーホース４７ａ，４７ｂ及び空気通路４６ａ，４６ｂを介して噴風ノズル３８,３９に空気を供給すると、噴風ノズル３８,３９から高圧空気が噴風され、撹拌装置４の主軸に堆積した加水後の濡れた精白麦粒などの穀粒を吹き飛ばされて残留物を容易に除去することができる。噴風ノズル３８，３９はすべり軸受４３ａ，４３ｂに固定される一方で、撹拌装置４の主軸２５はＶベルト３０を介して回転されているため、主軸２５を回転させて主軸２５の全周面の残留物を斑（むら）なく除去することができる。
【００２７】
また、噴風ノズル３８,３９の周囲は円錐台形状のノズルカバー５０ａ，５０ｂに覆われており、運転中は噴風ノズル３８，３９への穀粒の流入が抑制される。そして、前記噴風ノズル３８,３９から噴射される高圧空気は、ノズルカバー５０ａ，５０ｂの円錐台上面５５に設けたスリット孔５１…を介して主軸２５に供給される。さらに、このスリット孔５１…が円弧状に形成されているので、ノズルカバー５０ａ，５０ｂ内に穀粒が流入する虞があるが、円錐台傾斜面５７に設けた排出孔５３ａ，５３により、穀粒は機枠３内に自然落下して排出させることができる。そして、主軸２５の回転とともにノズルカバー５０ａ，５０ｂが回転されると、円錐台上面５５に形成された掻出部５４…によって噴風ノズル３８,３９先端に挟まった穀粒を掻き出すことができる。
【００２８】
以上のように本実施形態によれば、複数の撹拌羽根を植設した主軸に堆積した精白麦粒などの穀粒を容易に除去することが可能となる。
【産業上の利用可能性】
【００２９】
本発明は、穀粒を加水する加水部と、加水された穀粒を振動させるとともに撹拌羽根によって撹拌・搬送する搬送部とからなる穀粒加水装置に適用することができる。
【図面の簡単な説明】
【００３０】
【図１】本発明の穀粒加水装置の内部構造を示す縦断面図である。
【図２】供給口側の機枠を一部破断した拡大断面図である。
【図３】排出口側の機枠を一部破断した拡大断面図である。
【図４】振動モータにより機枠が振動する状態を示す作用図である。
【図５】ノズルカバーの詳細な構成を示す斜視図である。
【図６】ノズルカバーとすべり軸受の係合を示す斜視図である。
【符号の説明】
【００３１】
１  穀粒加水装置
２  水分添加部
３  機枠
４  撹拌装置
５  詰まり検知センサ
６  流れ検知センサ
７  原料供給ホッパ
８  注水ノズル
９  加水部
１０  注水管
１１  吸引ダクト
１２  支持枠
１３  支持枠
１４  供給口
１５  排出口
１６  排出口
１７  排出管
１８  排出管
１９  閉鎖板
２０  ノブボルト
２１  排出樋
２２  排出口
２３  軸受
２４  軸受
２５  主軸
２６  撹拌羽根
２７  プーリ
２８  モータ
２９  プーリ
３０  Ｖベルト
３１  梁
３２  連結部材
３３  連結部材
３４  振動モータ
３５  振動モータ
３６  吸引ダクト
３７  吸引機
３８  噴風ノズル
３９  噴風ノズル
４０  吸引口
４１  集合ダクト
４２  開口
４３  すべり軸受
４３c  鍔部
４４  支持部材
４５  ボルト
４６  空気通路
４７  エアーホース
４８  カプラ
５０  ノズルカバー
５１  スリット孔
５２  スペーサ
５３  排出孔
５４  掻出部
５５  円錐台上面
５６  円錐台底面
５７  円錐台傾斜面
５８  シュート
【図１】
2005238037.tif 000003
【図２】
2005238037.tif 000004
【図３】
2005238037.tif 000005
【図４】
2005238037.tif 000006
【図５】
2005238037.tif 000007
【図６】
2005238037.tif 000008